(57)【要約】【課題】良好かつ明瞭なクリック感を得ることができ、かつ耐久性に優れ、小型化を図ることができる電気部品のクリック機構を提供する。【解決手段】電気部品の回転操作軸と一体に回転する回転板４０に配置された板材よりなるバネ５０と、回転板４０の外周部に、外周部から突出し、出入り可能に配置されたクリック駒６０と、回転板４０を収容するハウジング２２の内周面に、その周方向に配列形成された凹凸２５とよりなる。クリック駒６０は円柱状をなし、バネ５０により付勢されて周面部分が凹凸２５に弾接されている。【選択図】図４
2011159562.tif 000002
【特許請求の範囲】
【請求項１】
回転操作軸を有する電気部品のクリック機構であって、
前記回転操作軸と一体に回転する回転板に配置された板材もしくは線材よりなるバネと、
前記回転板の外周部に、外周部から突出し、出入り可能に配置されたクリック駒と、
前記回転板を収容するハウジングの内周面に、その周方向に配列形成された凹凸とよりなり、
前記クリック駒は円柱状をなし、前記バネにより付勢されて周面部分が前記凹凸に弾接されていることを特徴とする電気部品のクリック機構。
【請求項２】
回転操作軸を有する電気部品のクリック機構であって、
前記回転操作軸と一体に回転する回転板の外周面に、その周方向に配列形成された凹凸と、
前記回転板を収容するハウジングの内周面から突出し、出入り可能とされてハウジングに配置されたクリック駒と、
前記ハウジングに配置された板材もしくは線材よりなるバネとよりなり、
前記クリック駒は円柱状をなし、前記バネにより付勢されて周面部分が前記凹凸に弾接されていることを特徴とする電気部品のクリック機構。
【請求項３】
スライド操作つまみを有する電気部品のクリック機構であって、
前記スライド操作つまみと一体にスライドする可動体に配置された板材もしくは線材よりなるバネと、
前記可動体の周縁部に、周縁部から突出し、出入り可能に配置されたクリック駒と、
前記可動体をスライド自在に収容する凹部を有するハウジングの前記凹部の内壁面に、前記可動体がスライドする方向に配列形成された凹凸とよりなり、
前記クリック駒は円柱状をなし、前記バネにより付勢されて周面部分が前記凹凸に弾接されていることを特徴とする電気部品のクリック機構。
【請求項４】
請求項１又は３記載の電気部品のクリック機構において、
前記クリック駒を２つ備え、
前記バネはＵ字形とされて、そのＵ字の両脚部によって前記２つのクリック駒が互いに反対方向に付勢されていることを特徴とする電気部品のクリック機構。
【請求項５】
請求項１又は３記載の電気部品のクリック機構において、
前記クリック駒を２つ備え、
前記バネは一箇所が切り欠かれた円環状とされて、その切り欠きを挟む各半部によって前記２つのクリック駒が互いに反対方向に付勢されていることを特徴とする電気部品のクリック機構。
【発明の詳細な説明】
【技術分野】
【０００１】
この発明は回転操作される電気部品やスライド操作される電気部品において、操作時にクリック感（節度感）を発生させるためのクリック機構に関する。
【背景技術】
【０００２】
従来のこの種のクリック機構としては、例えば特許文献１や特許文献２に記載されているように、ボールとコイルバネを用いるものがある。
【０００３】
図１０は特許文献１に記載されているクリック機構を具備するロータリースイッチのスイッチケースと可動板回りの構成を示したものであり、図１０中、１はスイッチケースを示し、２は回転操作される操作軸、３は操作軸２に固着された可動板を示す。また、４は固定接点（図示されていない）と接触する可動接点、５は可動接点４を固定接点に対して付勢すると共に、可動板３をスイッチケース１の内側上壁面に対して付勢するコイルバネを示す。
【０００４】
クリック機構はスイッチケース１の内周面に形成された溝１ａと、可動板３の外周面の２ヶ所に挿入、実装されたボール６及びコイルバネ７とよりなり、コイルバネ７によってスイッチケース１の内周面に付勢されるボール６が溝１ａと係合することにより、クリック感が得られるものとなっている。
【先行技術文献】
【特許文献】
【０００５】
【特許文献１】実公平２−１１７０１号公報
【特許文献２】実公昭５２−１７０９６号公報
【発明の概要】
【発明が解決しようとする課題】
【０００６】
ところで、上述した従来例のように、ボールが相手側のハウジングに配列形成された凹凸に弾接する構造では、ボールは点接触（点当たり）となり、これによりハウジングは局部的に磨耗するため、耐久性の点で問題があるものとなっていた。
【０００７】
また、操作軸が回転操作されるスイッチ等の電気部品において、例えば明瞭なクリック感を得るためには強いトルク（ステップトルク）の発生が必要となるものの、強いトルクを発生するためには線径の太いコイルバネを使用する必要があり、コイルバネの外径が大きくなってしまう分、電気部品の小型化を阻害するものとなっていた。
【０００８】
一方、携帯型電子機器に用いられる回転操作型のスイッチでは小型化が求められながらも操作つまみは大型化しており、このため好感触で明瞭な切り替えを実現し、かつ誤回転を防止すべく、クリック機構における強いトルクの発生が求められている。
【０００９】
この発明の目的はこのような状況に鑑み、良好かつ明瞭なクリック感を得ることができ、かつ耐久性に優れ、小型化を図ることができる電気部品のクリック機構を提供することにある。
【課題を解決するための手段】
【００１０】
請求項１の発明によれば、回転操作軸を有する電気部品のクリック機構は、回転操作軸と一体に回転する回転板に配置された板材もしくは線材よりなるバネと、回転板の外周部に、外周部から突出し、出入り可能に配置されたクリック駒と、回転板を収容するハウジングの内周面に、その周方向に配列形成された凹凸とよりなり、クリック駒は円柱状をなし、前記バネにより付勢されて周面部分が前記凹凸に弾接される。
【００１１】
請求項２の発明によれば、回転操作軸を有する電気部品のクリック機構は、回転操作軸と一体に回転する回転板の外周面に、その周方向に配列形成された凹凸と、回転板を収容するハウジングの内周面から突出し、出入り可能とされてハウジングに配置されたクリック駒と、ハウジングに配置された板材もしくは線材よりなるバネとよりなり、クリック駒は円柱状をなし、前記バネにより付勢されて周面部分が前記凹凸に弾接される。
【００１２】
請求項３の発明によれば、スライド操作つまみを有する電気部品のクリック機構は、スライド操作つまみと一体にスライドする可動体に配置された板材もしくは線材よりなるバネと、可動体の周縁部に、周縁部から突出し、出入り可能に配置されたクリック駒と、可動体をスライド自在に収容する凹部を有するハウジングの凹部の内壁面に、可動体がスライドする方向に配列形成された凹凸とよりなり、クリック駒は円柱状をなし、前記バネにより付勢されて周面部分が前記凹凸に弾接される。
【００１３】
請求項４の発明では請求項１又は３の発明において、クリック駒を２つ備え、前記バネはＵ字形とされて、そのＵ字の両脚部によって２つのクリック駒が互いに反対方向に付勢される。
【００１４】
請求項５の発明では請求項１又は３の発明において、クリック駒を２つ備え、前記バネは一箇所が切り欠かれた円環状とされて、その切り欠きを挟む各半部によって２つのクリック駒が互いに反対方向に付勢される。
【発明の効果】
【００１５】
この発明によれば、円柱状をなすクリック駒と、板材もしくは線材よりなるバネを用いるものとなっており、従来のボールとコイルバネを用いるクリック機構に比し、小型化を図ることができ、かつ小型化を図りつつ、強い力を得ることができ、良好かつ明瞭なクリック感を実現することができる。
【００１６】
また、従来の点接触するボールと異なり、円柱状のクリック駒は線接触となるため、相手方ハウジングの磨耗を低減することができ、その点で耐久性に優れたクリック機構を実現することができる。
【図面の簡単な説明】
【００１７】
【図１】この発明によるクリック機構の一実施例を備えたスイッチの分解斜視図。
【図２】Ａは図１における回転子の平面図、ＢはそのＤ−Ｄ線断面図、Ｃはその底面図。
【図３】Ａは図１における上側接触子ホルダとその下側に位置する回転子を示す平面図、Ｂは図１における下側接触子ホルダとその上側に位置する回転子を示す底面図。
【図４】Ａは図１におけるクリック機構を示す平面図、Ｂはその斜視図。
【図５】Ａ〜Ｃはバネの他の形状例を示す斜視図、ＤはＡ〜Ｃのバネに対応する回転板の形状を示す斜視図。
【図６】Ａはバネの他の形状例を示す斜視図、ＢはＡのバネに対応する回転板の形状を示す斜視図。
【図７】この発明によるクリック機構の他の実施例を説明するための図。
【図８】スライド操作つまみを有する電気部品に対するこの発明によるクリック機構の実施例を説明するための図。
【図９】図８に対し、スライド操作つまみの突出方向を変えた実施例を示す図。
【図１０】従来のクリック機構を説明するための図。
【発明を実施するための形態】
【００１８】
この発明の実施形態を図面を参照して実施例により説明する。
【００１９】
図１はこの発明によるクリック機構を備えた電気部品の一例として、回転操作型のスイッチの構成を示したものである。スイッチは回転操作軸１０と軸受２０とリング３０と回転板４０とバネ５０とクリック駒６０と中間板７０と接触子を保持した下側接触子ホルダ８０と回転子９０と接触子を保持した上側接触子ホルダ１００とカバー１１０とリベット１２０とによって構成されている。
【００２０】
回転操作軸１０は操作部１１と、操作部１１の先端から同軸に延長され、操作部１１より径の小さい保持部１２と、保持部１２の先端から同軸に延長され、保持部１２より径の小さい駆動部１３とを備えている。保持部１２の先端側には環状溝１２ａが外周面に形成されている。駆動部１３には中心軸線と平行に切り落とされて形成された２つの互いに平行な平面１３ａが形成されている。回転操作軸１０は樹脂または金属製とされる。
【００２１】
軸受２０は取り付け用ネジが外周に形成された取り付け部２１と、取り付け部２１の一端に一体に形成された矩形のハウジング部２２とを有している。取り付け部２１には中心に回転操作軸１０の保持部１２が回転自在に挿通される軸穴２３が形成されている。ハウジング部２２の上面側には軸穴２３と同軸に円形の凹部２４が形成されており、その底面に軸穴２３が開口している。凹部２４の内周面にはその周方向に山谷形状をなす凹凸２５が所定のピッチで配列されて形成されている。ハウジング部２２の上面には一組の対角角部に位置決め穴２２ａがそれぞれ形成され、もう一組の対角角部に固定穴２２ｂがそれぞれ形成されている。軸受２０は樹脂または金属製とされる。
【００２２】
回転板４０は円形をなし、樹脂または金属で形成される。回転板４０の上面には略Ｕ字形をなす凹部４１が形成されている。凹部４１におけるＵ字の両脚部をなす部分には凹部４１と連通して回転板４０の外周面に至る切り欠き４２がそれぞれ形成され、さらに両脚部の切り欠き４２より先端側に切り欠き４２より浅い切り欠き４３がそれぞれ形成されている。凹部４１の底面と切り欠き４２の底面は同一平面をなすものとされている。
【００２３】
回転板４０の下面には軸受２０の軸穴２３に挿入される軸部４４が形成され、軸部４４には図１では見えないが、回転操作軸１０の駆動部１３が挿通される軸穴４５（図４参照）が形成されている。回転板４０の上面側には軸部４４の軸穴４５と連通し、軸穴４５より径の大きい軸穴４６が形成されている。軸穴４６にはその内周の一箇所から中心に向って突出し、かつ軸方向に延びる係合キー４７が形成され、係合キー４７と対向する軸穴４６の内周には回転操作軸１０の駆動部１３に形成されている平面１３ａの一方と合致する形状の突出部４８が突出形成されている。なお、軸穴４６の径は後述する回転子９０の回転軸９１が挿入係合できる大きさとされている。
【００２４】
バネ５０はＵ字形をなし、この例では幅狭の金属板バネ材がＵ字形に曲げられて形成されている。
【００２５】
クリック駒６０は短い円柱状とされ、この例では２つ使用される。クリック駒６０は金属または樹脂製とされる。
【００２６】
中間板７０は軸受２０のハウジング部２２と同じ矩形とされ、中央に軸穴７１が形成されている。軸穴７１の径は後述する回転子９０の回転軸９１が回転自在に挿通できる大きさとされている。中間板７０にはその一辺に隣接して２つの位置決め穴７２ａが形成され、一組の対角角部にそれぞれ固定穴７２ｂが形成され、もう一組の対角角部の下面には位置決め突起７３がそれぞれ形成されている。中間板７０は例えば樹脂製とされる。
【００２７】
図２は回転子９０の詳細を示したものであり、図２Ａは平面図、図２Ｂは図２ＡにおけるＤ−Ｄ線断面図、図２Ｃは底面図を示す。
【００２８】
回転子９０は回転軸９１と、回転軸９１の長さ方向中間に位置し、回転軸９１と同軸のディスク部９２と、ディスク部９２に保持された摺動接触片９３とがインサート成形により一体化されて形成されている。なお、図２Ａ及び図２Ｃにおいては摺動接触片９３に点々を付している。
【００２９】
回転軸９１には回転操作軸１０の駆動部１３と係合する軸穴９４が形成されている。さらに、回転軸９１の下端には回転板４０の係合キー４７及び突出部４８とそれぞれ係合する切り欠き９５，９６が形成されている。切り欠き９５，９６は軸方向に所定の長さとされ、これにより回転軸９１は切り欠き９５，９６の軸方向長さだけ回転板４０の軸穴４６に挿入される。
【００３０】
摺動接触片９３は上側接触片９３ａと下側接触片９３ｂからなり、これらは１枚の金属板を打ち抜き、図２Ｂに示したように折り曲げることによって形成されており、上側接触片９３ａと下側接触片９３ｂは重ね合わされている。
【００３１】
上側接触片９３ａは図２Ａに示したように同心の互いに隣接する２つの環状領域にそれぞれ円弧状の接触領域（露出領域）を有している。外側の環状領域には所定の角度範囲を占める１つの接触領域９３ａ１が形成され、内側の環状領域にはそれぞれ所定の角度範囲を占める２つの接触領域９３ａ２，９３ａ３が形成されている。
【００３２】
一方、下側接触片９３ｂは図２Ｃに示したように上側接触片９３ａの２つの環状領域と同じ（同じ径の）２つの環状領域と、さらに内周側に隣接してもう１つの環状領域を有している。外側の環状領域にはそれぞれ所定の角度範囲を占める４つの接触領域９３ｂ１，９３ｂ２，９３ｂ３，９３ｂ４が形成され、中間の環状領域にはそれぞれ所定の角度範囲を占める２つの接触領域９３ｂ５，９３ｂ６が形成されている。また、内側の環状領域には環状（３６０°）の接触領域９３ｂ７が形成されている。
【００３３】
図３Ａは上側接触子ホルダ１００の上面と、組み立てられた状態で下側に位置する回転子９０の上面を示したものである。
【００３４】
ハウジング部２２と同じ矩形の上側接触子ホルダ１００の下面には円形の回転子収容凹部１０１が形成され、その回転子収容凹部１０１の天井にはほぼ矩形の窓１０２が形成されている。上側接触子ホルダ１００の一側辺に隣接する回転子収容凹部１０１の側壁部には、その下面から下側接触子ホルダ８０の側に突出する係合凸部１０３と、その係合凸部１０３と隣接して同じ幅で側壁部が切り取られた係合凹部１０４が形成されている。上側接触子ホルダ１００の一組の対角角部には位置決め穴１０５ａがそれぞれ形成され、もう一組の対角角部には固定穴１０５ｂがそれぞれ形成されている。さらに、端子１０７ｂ，１０８ｂ，１０９ｂが導出されている一側辺に隣接して２つの位置決め突起１０６が形成されている。
【００３５】
上側接触子ホルダ１００は３つの接触子１０７ａ，１０８ａ，１０９ａとそれらから一体に延長され、上側接触子ホルダ１００の一側面から外に突出された端子１０７ｂ，１０８ｂ，１０９ｂと共にインサート成形により形成されている。３つの接触子１０７ａ，１０８ａ，１０９ａは窓１０２の縁から内側に延び、それらの先端はそれぞれ回転子９０の摺動接触片９３に規定した３つの環状領域の上に位置している。この例では各接触子１０７ａ，１０８ａ，１０９ａはそれぞれ２つの分岐腕を有し、各環状領域において２点接触させることにより接触の安定性（信頼性）と寿命を高めている。
【００３６】
図３Ｂは下側接触子ホルダ８０の下面と、組み立てられた状態で上側に位置する回転子９０の下面を示したものである。
【００３７】
下側接触子ホルダ８０の構造は上側接触子ホルダ１００の構造と同一であり、同一の部品として形成した接触子ホルダを上下の向きを変えて上側用、下側用として使用することができる。
【００３８】
下側接触子ホルダ８０の上面には円形の回転子収容凹部８１が形成され、その回転子収容凹部８１の床にはほぼ矩形の窓８２が形成されている。下側接触子ホルダ８０の一側辺に隣接する回転子収容凹部８１の側壁部には、その下面から上側接触子ホルダ１００の側に突出する係合凸部８３と、その係合凸部８３と隣接して同じ幅で側壁部が切り取られた係合凹部８４が形成されている。下側接触子ホルダ８０の一組の対角角部には位置決め穴８５ａがそれぞれ形成され、もう一組の対角角部には固定穴８５ｂがそれぞれ形成されている。さらに、端子８７ｂ，８８ｂ，８９ｂが導出されている一側辺に隣接して２つの位置決め突起８６が形成されている。
【００３９】
下側接触子ホルダ８０は３つの接触子８７ａ，８８ａ，８９ａとそれらから一体に延長され、下側接触子ホルダ８０の一側面から外に突出された端子８７ｂ，８８ｂ，８９ｂと共にインサート成形により形成されている。３つの接触子８７ａ，８８ａ，８９ａは窓８２の縁から内側に延び、それらの先端はそれぞれ回転子９０の摺動接触片９３に規定した３つの環状領域の上に位置している。各接触子８７ａ，８８ａ，８９ａはそれぞれ２つの分岐腕を有し、各環状領域において２点接触している。
【００４０】
カバー１１０は中間板７０と同一形状とされ、中間板７０と同様、軸穴１１１、２つの位置決め穴１１２ａ、２つの固定穴１１２ｂ及び２つの位置決め突起１１３を備えている。カバー１１０は例えば樹脂製とされる。
【００４１】
各部の組み立ては以下のように行われる。
【００４２】
回転操作軸１０は軸受２０に挿通され、その保持部１２の先端側に形成されている環状溝１２ａにリング３０を装着することにより抜け止めされる。
【００４３】
回転板４０はその軸部４４の軸穴４５及びそれと連通する軸穴４６に回転操作軸１０の駆動部１３が挿通されて軸受２０のハウジング部２２の凹部２４に収容される。そして、この状態でバネ５０が回転板４０の凹部４１に収容配置される（後で説明する図４参照）。この際、バネ５０の両端部を例えばピンセットで挟み込み、Ｕ字を狭めることによって容易に凹部４１に入れ込むことができる。なお、回転板４０の切り欠き４３はピンセットの逃げとなる。
【００４４】
次に、２つのクリック駒６０が回転板４０の２つの切り欠き４２にそれぞれ収容配置される。クリック駒６０はバネ５０と凹部２４の内周面とによって囲まれた切り欠き４２内に圧入されて配置される。
【００４５】
中間板７０はその軸穴７１に駆動部１３を挿通させ、回転板４０を収容したハウジング部の凹部２４を上から塞いでハウジング部２２の上面に取り付けられる。この時、中間板７０の位置決め突起７３はハウジング部２２の位置決め穴２２ａに嵌合される。
【００４６】
中間板７０の位置決め穴７２ａに下側接触子ホルダ８０の位置決め突起８６が嵌合され、中間板７０の上に下側接触子ホルダ８０が位置決め固定される。その上から下側接触子ホルダ８０の回転子収容凹部８１内に回転子９０のディスク部９２のほぼ下半分を配置するように、回転子９０の軸穴９４に回転操作軸１０の駆動部１３を挿通させつつ、回転軸９１の下端部を中間板７０の軸穴７１を通して回転板４０の軸穴４５に挿入係合させる。
【００４７】
その回転子９０のディスク部９２のほぼ上半分を上側接触子ホルダ１００の回転子収容凹部１０１に収容するように、回転子９０の上から上側接触子ホルダ１００を被せ、下側接触子ホルダ８０に重ねて固定する。この時、上側接触子ホルダ１００の係合凸部１０３と係合凹部１０４が下側接触子ホルダ８０の係合凸部８３と係合凹部８４にそれぞれ嵌合し、互いに位置決めされる。
【００４８】
さらに、カバー１１０の軸穴１１１に回転子９０の回転軸９１の上端部を挿入させて上側接触子ホルダ１００の上にカバー１１０を重ねて位置決め突起１１３を位置決め穴１０５ａに嵌合し、位置決め穴１１２ａに位置決め突起１０６を嵌合する。これにより下側接触子ホルダ８０の接触子８７ａ，８８ａ，８９ａは回転子９０のディスク部９２の下面と弾接され、上側接触子ホルダ１００の接触子１０７ａ，１０８ａ，１０９ａは回転子９０のディスク部９２の上面と弾接される。
【００４９】
このようにして各部を合体した状態で、カバー１１０の固定穴１１２ｂ、上側接触子ホルダ１００の固定穴１０５ｂ、下側接触子ホルダ８０の固定穴８５ｂ、中間板７０の固定穴７２ｂ、軸受２０の固定穴２２ｂに２本のリベット１２０を挿通してリベット１２０の先端をかしめることにより、各部が互いに固定一体化され、スイッチが完成する。
【００５０】
上記のような構成とされたスイッチでは回転操作軸１０の回転により回転板４０及び回転子９０が一体に回転し、回転子９０の上側及び下側接触片９３ａ，９３ｂと、上側及び下側接触子ホルダ１００，８０の各接触子１０７ａ，１０８ａ，１０９ａ及び８７ａ，８８ａ，８９ａとの間で回転角度に応じた接離が行われ、所要のスイッチ開閉信号が得られる。
【００５１】
一方、回転板４０の外周部の切り込み４２に配置され、外周部から突出すると共に、出入り可能とされている２つのクリック駒６０はＵ字形をなすバネ５０の両脚部によって互いに反対方向に付勢され、軸受２０のフランジ部２２の凹部２４の内周面に形成された凹凸２５に、その周面部分が押し付けられ、弾接されている。図４はこの様子を示したものであり、回転操作軸１０の図示は省略している。
【００５２】
以下、図４を参照して、このスイッチにおけるクリック機構を説明する。
【００５３】
回転操作軸１０の回転に伴い、回転板４０が回転すると、クリック駒６０も回転板４０に追従して回転する。この時、軸受２０のハウジング部２２の凹部２４の内周面に形成されている凹凸２５に沿ってクリック駒６０が移動し、回転板４０から出入りする方向に動作するため、クリック感が発生する。なお、クリック駒６０はバネ５０で凹凸２５が形成された内周面に押し付けられているだけなので、単独で回転しながら（自転しながら）移動する。
【００５４】
このように、この例では円柱状のクリック駒６０を用いているものの、クリック駒６０は従来のボールと同様の回転運動を行うため、ボールと同等の良好なクリック感を得ることができる。また、ボールとコイルバネを使用する従来のクリック機構に対し、以下に示すような効果を得ることができる。
【００５５】
・クリック駒を円柱状とすることで、クリック駒はハウジングの内周面と線接触（線当たり）となり、点接触するボールの場合と比べてハウジングの磨耗を低減することができ、その点で耐久性の向上を図ることができる。
【００５６】
・クリック駒を円柱状とすることで、例えばクリック駒の径方向の大きさ（円柱の径）をボールの径と同じにしても、クリック駒の軸方向の大きさ（円柱の長さ）をボールより小さくすることができ、その分クリック駒を収容保持する回転板を薄くすることができるため、クリック機構の小型化を図ることができ、電気部品の小型化に寄与することができる。
【００５７】
・板バネを使用することでコイルバネに対し、回転板の軸方向の寸法を小さく抑えることができ、かつ小さく抑えつつ強いトルクを発生させることができる。
【００５８】
上述した例ではクリック駒を付勢するバネとして、Ｕ字形をなす板バネを用いているが、バネはこれに限らず、図５や図６に示したような構成とすることもできる。
【００５９】
図５Ａに示したバネ５１は板材よりなり、一箇所が切り欠かれた円環状をなすものであり、強いトルクを発生させるべく、幅広部分が一部に設けられている。
【００６０】
図５Ｂに示したバネ５２は図５Ａに示したバネ５１に対し、幅広部分をなしとしたものである。
【００６１】
図５Ｃに示したバネ５３は板材ではなく、線材を用い、図５Ｂに示したバネ５２と同様、円環状をなすように曲げたものである。
【００６２】
図５Ｄはこれら一箇所が切り欠かれた円環状をなすバネ５１〜５３が収容配置される回転板４０’の形状を示したものであり、この例では回転板４０’はバネを収容する円環状の凹部４１’とクリック駒６０が配置される２つの切り欠き４２を備えており、さらに凹部４１’と連通して回転板４０’の外周面に至るもう１つの切り欠き４９が設けられている。
【００６３】
この切り欠き４９には一箇所が切り欠かれた円環状をなすバネ５１〜５３の切り欠かれた部分において、外側に向かって突出延長されている延長部５１ａ，５２ａ，５３ａが位置される。バネ５１（５２，５３）を回転板４０’に組み込む際には例えばピンセットで一対の延長部５１ａ（５２ａ，５３ａ）を挟み込み、円環を狭めることによって容易に凹部４１’に入れ込むことができ、切り欠き４９はこの際のピンセットに対する逃げとなる。これらバネ５１〜５３を用いる場合は円環の切り欠きを挟む各半部によって２つのクリック駒６０は互いに反対方向に付勢される。なお、バネ５１を用いる場合は幅広部分に対応する溝が凹部４１’の底面に形成される。
【００６４】
図６Ａに示したバネ５４はバネ５０と同様、Ｕ字形をなすように、板材ではなく、線材を曲げて形成したものであり、図６Ｂはバネ５４を収容する回転板４０''を示したものである。
【００６５】
以上説明したように、クリック駒６０を付勢するバネは板材に限らず、線材を曲げて形成してもよく、またその曲げ形状もＵ字形に限らず、円環状としてもよい。
【００６６】
次に、図７に示したこの発明によるクリック機構の実施例について説明する。
【００６７】
この例では回転操作軸と一体に回転する回転板２１０の外周面に、その周方向に山谷形状をなす凹凸２１１を配列形成し、ハウジング２２０側に円柱状のクリック駒２３０及びバネ２４０を配置したものとなっている。
【００６８】
回転板２１０には回転操作軸が挿通される軸穴２１２が形成されており、回転板２１０はハウジング２２０の円形凹部２２１に回転自在に収容されている。バネ２４０は板バネ材が弓形をなすように曲げられて形成されており、ハウジング２２０の円形凹部２２１に隣接する凹部２２２に収容されている。
【００６９】
ハウジング２２０の円形凹部２２１と凹部２２２との間にはそれらを連通する溝２２３が形成されており、クリック駒２３０はこの溝２２３に配置されている。クリック駒２３０は円形凹部２２１の内周面及び凹部２２２の内壁面からそれぞれ突出しており、かつ出入り可能とされている。クリック駒２３０はバネ２４０により付勢されて、その周面部分が回転板２１０の外周面の凹凸２１１に弾接されている。
【００７０】
この例では図４に示したクリック機構とは逆に、固定側（ハウジング側）にクリック駒２３０及びバネ２４０が配置された構成となっているが、電気部品の構造に応じてこのようなクリック機構を採用することもできる。
【００７１】
以上、回転操作軸を有する電気部品のクリック機構について説明したが、この発明によるクリック機構はスライド操作つまみを有する直動タイプの電気部品にも適用することができる。図８はその構成を示したものであり、図８中、３１０はスライド操作つまみを示し、３２０はハウジングを示す。
【００７２】
円柱状のクリック駒３３０及び板バネ材よりなるＵ字形のバネ３４０は可動体３５０に配置される。可動体３５０はスライド操作つまみ３１０に一体形成され、スライド操作つまみ３１０と一体にスライドする。可動体３５０はこの例では円板状とされ、その一面に凹部３５１が形成され、その凹部３５１から外周面に至る切り欠き３５２が径方向互いに反対側に形成されている。
【００７３】
バネ３４０は可動体３５０の凹部３５１に収容配置され、２つのクリック駒３３０は周縁部の切り欠き３５２にそれぞれ配置される。クリック駒３３０は可動体３５０の周縁部から突出し、出入り可能とされている。
【００７４】
ハウジング３２０には可動体３５０をスライド自在に収容する矩形形状の凹部３２１が形成され、さらにハウジング３２０の凹部３２１が形成されている面と隣接する面に凹部３２１の底面側と連通する細長形状の開口３２２が形成されている。可動体３５０は凹部３２１に配置され、スライド操作つまみ３１０は開口３２２から外部に突出され、開口３２２の長手方向にスライド可能とされている。
【００７５】
スライド操作つまみ３１０と共にスライドする可動体３５０のスライド方向に沿う凹部３２１の内壁面には、山谷形状をなす凹凸３２３がスライド方向に配列されてそれぞれ形成されており、２つのクリック駒３３０はバネ３４０によって互いに反対方向に付勢されてこれら凹凸３２３にそれぞれ弾接されている。
【００７６】
この例ではこのような構造により、スライド操作つまみ３１０のスライド操作に伴い、クリック感が得られるものとなっている。なお、図８では図示を省略しているが、スライド操作つまみ３１０の操作に伴い、動作されるスイッチや可変抵抗器等はハウジング３２０の凹部３２１が形成されている面側に配置され、その可動部分は可動体３５０と一体にスライドするように構成される。
【００７７】
図９は図８に示した構成に対し、スライド操作つまみ３１０が外部に突出する向きを変えた例を示したものであり、このような構成を採用することもできる。なお、図８と対応する部分には同一符号を付してある。
【図１】
2011159562.tif 000003
【図２】
2011159562.tif 000004
【図３】
2011159562.tif 000005
【図４】
2011159562.tif 000006
【図５】
2011159562.tif 000007
【図６】
2011159562.tif 000008
【図７】
2011159562.tif 000009
【図８】
2011159562.tif 000010
【図９】
2011159562.tif 000011
【図１０】
2011159562.tif 000012
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
回転操作軸を有する電気部品のクリック機構であって、
前記回転操作軸と一体に回転する回転板に配置された板材もしくは線材よりなるバネと、
前記回転板の外周部に、外周部から突出し、出入り可能に配置されたクリック駒と、
前記回転板を収容するハウジングの内周面に、その周方向に配列形成された凹凸とよりなり、
前記クリック駒は円柱状をなし、前記バネにより付勢されて周面部分が前記凹凸に弾接されていることを特徴とする電気部品のクリック機構。
【請求項２】
回転操作軸を有する電気部品のクリック機構であって、
前記回転操作軸と一体に回転する回転板の外周面に、その周方向に配列形成された凹凸と、
前記回転板を収容するハウジングの内周面から突出し、出入り可能とされて前記ハウジングに配置されたクリック駒と、
前記ハウジングに配置された板材もしくは線材よりなるバネとよりなり、
前記クリック駒は円柱状をなし、前記バネにより付勢されて周面部分が前記凹凸に弾接されていることを特徴とする電気部品のクリック機構。
【請求項３】
スライド操作つまみを有する電気部品のクリック機構であって、
前記スライド操作つまみと一体にスライドする可動体に配置された板材もしくは線材よりなるバネと、
前記可動体の周縁部に、周縁部から突出し、出入り可能に配置されたクリック駒と、
前記可動体をスライド自在に収容する凹部を有するハウジングの前記凹部の内壁面に、前記可動体がスライドする方向に配列形成された凹凸とよりなり、
前記クリック駒は円柱状をなし、前記バネにより付勢されて周面部分が前記凹凸に弾接されていることを特徴とする電気部品のクリック機構。
【請求項４】
請求項１又は３記載の電気部品のクリック機構において、
前記クリック駒を２つ備え、
前記バネはＵ字形とされて、そのＵ字の両脚部によって前記２つのクリック駒が互いに反対方向に付勢されていることを特徴とする電気部品のクリック機構。
【請求項５】
請求項１又は３記載の電気部品のクリック機構において、
前記クリック駒を２つ備え、
前記バネは一箇所が切り欠かれた円環状とされて、その切り欠きを挟む各半部によって前記２つのクリック駒が互いに反対方向に付勢されていることを特徴とする電気部品のクリック機構。
【請求項６】
請求項１又は３記載の電気部品のクリック機構において、
前記バネとしてＵ字形のバネが用いられていることを特徴とする電気部品のクリック機構。
【請求項７】
請求項１又は３記載の電気部品のクリック機構において、
前記バネとして一箇所が切り欠かれた円環状のバネが用いられていることを特徴とする電気部品のクリック機構。
【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
回転操作軸を有する電気部品のクリック機構であって、
前記回転操作軸と一体に回転する回転板に配置された板材もしくは線材よりなるバネと、
前記回転板の外周部に、外周部から突出し、出入り可能に配置されたクリック駒と、
前記回転板を収容するハウジングの内周面に、その周方向に配列形成された凹凸とよりなり、
前記クリック駒は円柱状をなし、前記バネにより付勢されて周面部分が前記凹凸に弾接されており、
前記バネとしてＵ字形のバネが用いられていることを特徴とする電気部品のクリック機構。
【請求項２】
回転操作軸を有する電気部品のクリック機構であって、
前記回転操作軸と一体に回転する回転板に配置された板材もしくは線材よりなるバネと、
前記回転板の外周部に、外周部から突出し、出入り可能に配置されたクリック駒と、
前記回転板を収容するハウジングの内周面に、その周方向に配列形成された凹凸とよりなり、
前記クリック駒は円柱状をなし、前記バネにより付勢されて周面部分が前記凹凸に弾接されており、
前記バネとして一箇所が切り欠かれた円環状のバネが用いられていることを特徴とする電気部品のクリック機構。
【請求項３】
スライド操作つまみを有する電気部品のクリック機構であって、
前記スライド操作つまみと一体にスライドする可動体に配置された板材もしくは線材よりなるバネと、
前記可動体の周縁部に、周縁部から突出し、出入り可能に配置されたクリック駒と、
前記可動体をスライド自在に収容する凹部を有するハウジングの前記凹部の内壁面に、前記可動体がスライドする方向に配列形成された凹凸とよりなり、
前記クリック駒は円柱状をなし、前記バネにより付勢されて周面部分が前記凹凸に弾接されており、
前記バネとしてＵ字形のバネが用いられていることを特徴とする電気部品のクリック機構。
【請求項４】
スライド操作つまみを有する電気部品のクリック機構であって、
前記スライド操作つまみと一体にスライドする可動体に配置された板材もしくは線材よりなるバネと、
前記可動体の周縁部に、周縁部から突出し、出入り可能に配置されたクリック駒と、
前記可動体をスライド自在に収容する凹部を有するハウジングの前記凹部の内壁面に、前記可動体がスライドする方向に配列形成された凹凸とよりなり、
前記クリック駒は円柱状をなし、前記バネにより付勢されて周面部分が前記凹凸に弾接されており、
前記バネとして一箇所が切り欠かれた円環状のバネが用いられていることを特徴とする電気部品のクリック機構。
【請求項５】
請求項１又は３記載の電気部品のクリック機構において、
前記クリック駒を２つ備え、
前記バネは、そのＵ字の両脚部によって前記２つのクリック駒が互いに反対方向に付勢されていることを特徴とする電気部品のクリック機構。
【請求項６】
請求項２又は４記載の電気部品のクリック機構において、
前記クリック駒を２つ備え、
前記バネは、その切り欠きを挟む各半部によって前記２つのクリック駒が互いに反対方向に付勢されていることを特徴とする電気部品のクリック機構。